(57)【要約】【課題】高精度の穴明け加工を可能にする。【解決手段】中心軸線ＣＬまわりに回転させられるドリル本体１０の先端側部分である刃部の外周面１３には、刃部の先端面１２に一対に形成された先端逃げ面１２ａ、１２ｂから基端側に向けて二条の主溝２０、３０が延設され、前記二条の主溝のうち一の主溝のドリル回転方向Ｋ前方側を向く壁面２２と前記先端逃げ面１２ａとの交差稜線に形成された、前記ドリル本体の外周端まで延びる第１の切刃２１と、前記一の主溝２０よりも溝長が短い他の主溝のドリル回転方向Ｋ前方側を向く壁面３２と前記刃部の前記先端逃げ面１２ｂとの交差稜線の、前記交差稜線の外周部および該外周部に連結する前記壁面３２をドリル回転方向Ｋ後方側に切り欠く副溝４０によって形成された非切削部４１を除く内周側領域に形成された第２の切刃３１と、を含んでなるドリルを提供する。【選択図】図１
2010162644.tif 000002
【特許請求の範囲】
【請求項１】
中心軸線まわりに回転させられるドリル本体と、
前記ドリル本体の先端側部分である刃部の外周面に、前記刃部の先端面から基端側に向けて延設された二条の主溝と、
前記刃部の先端面に、ドリル中心を挟んで一対に形成された先端逃げ面と、
前記二条の主溝のうちの一の主溝のドリル回転方向前方側を向く壁面と前記先端逃げ面との交差稜線に形成された、前記ドリル本体の外周端まで延びる第１の切刃と、
前記一の主溝よりも溝長が短い他の主溝のドリル回転方向前方側を向く壁面と前記刃部の先端面との交差稜線の、前記交差稜線の外周部および該外周部に連結する前記壁面をドリル回転方向後方側に切り欠く副溝によって形成された非切削部を除く内周側領域に形成された第２の切刃と、を含んでなるドリル。
【請求項２】
前記第２の切刃と、該第２の切刃に対応する前記第１の切刃の内周側領域とは、ドリル中心を基準として点対称の関係にある請求項１に記載のドリル。
【請求項３】
前記一の主溝のリーディングエッジに連結する外周面、ならびに、前記副溝および他の主溝の少なくとも一方のリーディングエッジに連結する外周面のうち少なくともいずれか一方には、加工穴の内周壁面に摺接可能なランドが形成され、該ランドの外周面の円周方向中間部に、前記外周面に対して内側に没入し、かつ該ランドの先端から前記中心軸線方向基端側へ延びる凹溝が形成されている請求項１又は請求項２に記載のドリル。
【請求項４】
前記凹溝の溝長が前記一の主溝の溝長より短い請求項３に記載のドリル。
【請求項５】
前記ドリル本体の先端視において、前記一の主溝のリーディングエッジに連結する外周面には、加工穴の内周壁面に摺接可能なランドが形成され、前記ランドの少なくとも一部が、ドリル中心を通りかつ前記第１の切刃に沿う方向に略直角な方向に延びる仮想直線に対する角度（ドリル回転方向前方側を正とする。）が−３０°〜＋３０°の範囲に存在している請求項１〜４のいずれ一項に記載のドリル。
【請求項６】
前記刃部の外周面を該ドリルの切刃外径と略等しい外径となるように研削加工することによって、加工穴の内周壁面に摺接可能なランドを形成する第１の工程と、
前記刃部の先端面を研削加工することによって前記先端面に所定の逃げ角を有する先端逃げ面を形成する第２の工程と、
前記刃部の外周に前記刃部の先端から基端側に向けて延びる一の主溝を研削加工することによって、前記一の主溝のドリル回転方向前方側を向く壁面と前記先端逃げ面との交差稜線に、前記ドリル本体の外周端まで延びる第１の切刃を形成する第３の工程と、
前記刃部の外周に前記刃部の先端から前記中心軸線方向基端側へ延びていてその溝長が前記一の主溝の溝長より短い他の主溝を研削加工することによって、前記他の主溝のドリル回転方向前方側を向く壁面と前記先端逃げ面との交差稜線の少なくとも内周側領域に第２の切刃を形成する第４の工程と、
前記交差稜線の少なくとも内周側領域を除く外周部および前記外周部に連結する前記他の主溝のドリル回転方向前方側を向く壁面の外周部をドリル回転方向後方側に切り欠く副溝を研削加工することによって、前記第２の切刃よりも外周側領域に非切削部を形成する第５の工程と、を含んでなるドリルの研削加工方法。
【請求項７】
前記一の主溝のリーディングエッジに連結する外周面、ならびに、前記副溝および他の主溝の少なくとも一方のリーディングエッジに連結する外周面のうち少なくともいずれか一方に形成された加工穴の内周壁面に摺接可能なランドの外周面の円周方向中間部に、前記外周面に対して内側に没入し、かつ該ランドの先端から前記中心軸線方向基端側へ延びる凹溝を研削加工する第６の工程を含むこと請求項６に記載のドリルの研削加工方法。
【請求項８】
前記第３および第４の工程の研削加工に使用する各研削砥石が同一である請求項６に記載のドリルの研削加工方法。
【請求項９】
前記第４および第５の工程の研削加工に使用する研削砥石が同一である請求項６に記載のドリルの研削加工方法。
【請求項１０】
前記第４、第５および第６の工程の研削加工に使用されるすべての研削砥石が同一である請求項７に記載のドリルの研削加工方法。
【発明の詳細な説明】
【技術分野】
【０００１】
本発明は、被削材に穴明け加工を施すために用いられるドリルに関し、とくに、プリント配線板に穴明け加工するのに用いられるドリルおよび該ドリルの研削加工方法に関するものである。
【背景技術】
【０００２】
一般に、プリント配線板に穴明け加工するドリルは、ドリル直径がきわめて小さい一方で、加工穴深さが前記ドリル直径にくらべきわめて大きい、いわゆるアスペクト比が大きいドリルである。従来からこの種のドリルとして多用されてきたのが二枚刃ドリルである。二枚刃ドリルは、二枚の切刃がドリル中心に関して対称に配置されていることから、切削バランスが良好なドリルである。しかしながら、各切刃に連なる切屑排出溝によってドリル本体の剛性が低下するため、ドリル折損や加工穴精度の劣化といった問題が生じるおそれがある。ドリル本体の剛性を高めるためドリル本体の中心部の厚み（刃幅）又はドリル本体の外周部のランドを拡大すると、切屑が加工穴の内周壁面に接触してしまい前記内周壁面の面粗さが悪化するという問題が生じる。
【０００３】
一枚刃ドリルは、切屑排出溝を一条しか形成しない点で、切屑排出溝によるドリル本体の剛性低下を改善するのに有効である。（例えば、特許文献１参照。）この一枚刃ドリルは、ドリル本体の先端に、その実質的な中心から半径方向に沿って１つの切刃が形成されてなる。
【先行技術文献】
【特許文献】
【０００４】
【特許文献１】特開２００１−２７７１８９号公報
【発明の概要】
【発明が解決しようとする課題】
【０００５】
しかしながら、特許文献１に開示された一枚刃ドリルは、切刃が非対称であるため、二枚刃ドリルにくらべ切削バランスが悪い。そのため、ドリル本体の剛性が高められているものの、切削バランスの悪さに起因するドリル本体の撓みによって加工穴の位置精度や真円度といった加工精度が悪化するおそれがあった。
【０００６】
本発明は、上記問題を解決するためになされたもので、従来ドリルにくらべ高精度の穴明け加工を可能にするドリルを提供することを目的とする。
【課題を解決するための手段】
【０００７】
上記課題を解決するために、請求項１に係る発明は以下の手段を採用する。
すなわち、請求項１に係る発明は、中心軸線まわりに回転させられるドリル本体と、前記ドリル本体の先端側部分である刃部の外周面に、前記刃部の先端面から基端側に向けて延設された二条の主溝と、前記刃部の先端面に、ドリル中心を挟んで一対に形成された先端逃げ面と、前記二条の主溝のうちの一の主溝のドリル回転方向前方側を向く壁面と前記先端逃げ面との交差稜線に形成された、前記ドリル本体の外周端まで延びる第１の切刃と、前記一の主溝よりも溝長が短い他の主溝のドリル回転方向前方側を向く壁面と前記刃部の先端面との交差稜線の、前記交差稜線の外周部および該外周部に連結する前記壁面をドリル回転方向後方側に切り欠く副溝によって形成された非切削部を除く内周側領域に形成された第２の切刃と、を含んでなるドリルである。
【０００８】
請求項１に係るドリルにおいて、一の主溝のドリル回転方向前方側を向く壁面と先端逃げ面との交差稜線には、ドリル本体の外周端まで延びる第１の切刃が形成されていることから、被削材への穴明け加工が可能となる。
他の主溝のドリル回転方向前方側を向く壁面と前記刃部の先端面との交差稜線の外周部を切り欠く副溝によって形成された非切削部は、被削材に一切接触しないので、切削抵抗の増大を防止する。
非切削部よりも内周側領域に形成された第２の切刃は、被削材に食い付くとき、第１の切刃と同時に被削材に接触し、切削バランスの悪化を防止する。
さらに、第２の切刃は第１の切刃にくらべ切刃に沿う方向の長さが短いことから、第２の切刃から生成する切屑の容積は第１の切刃から生成する切屑の容積より小さくなる。これにより、切屑排出性を損なうことなく前記他の主溝および副溝の溝長を前記一の主溝の溝長より短くすることができるため、ドリル本体の剛性が向上する。
【０００９】
請求項２に係る発明は、前記第２の切刃と、該第２の切刃に対応する前記第１の切刃の内周側領域とは、ドリル中心を基準として点対称の関係にある請求項１に記載のドリルである。
【００１０】
請求項３に係る発明は、前記一の主溝のリーディングエッジに連結する刃部の外周面、ならびに、前記副溝および他の主溝の少なくとも一方のリーディングエッジに連結する刃部の外周面のうち少なくともいずれか一方には、加工穴の内周壁面に摺接可能なランドが形成され、該ランドの外周面の円周方向中間部に、前記外周面に対して内側に没入し、かつ該ランドの先端から前記中心軸線方向基端側へ延びる凹溝が形成されている請求項１又は請求項２に記載のドリルである。
【００１１】
請求項４に係る発明は、前記凹溝の溝長Ｌ３が前記一の主溝の溝長Ｌ１より短い請求項３に記載のドリルである。
【００１２】
請求項５に係る発明は、前記ドリル本体の先端視において、前記一の主溝のリーディングエッジに連結する刃部の外周面には、加工穴の内周壁面に摺接可能なランドが形成され、前記ランドの少なくとも一部が、ドリル中心を通りかつ前記第１の切刃に沿う方向に略直角な方向に延びる仮想直線に対する角度（ドリル回転方向前方側を正とする。）が−３０°〜＋３０°の範囲に存在している請求項１〜４のいずれ一項に記載のドリルである。
【００１３】
請求項６に係る発明は、前記刃部の外周面を該ドリルの切刃外径と略等しい外径となるように研削加工することによって、加工穴の内周壁面に摺接可能なランドを形成する第１の工程と、前記刃部の先端面を研削加工することによって前記先端面に所定の逃げ角を有する先端逃げ面を形成する第２の工程と、前記刃部の外周面に前記刃部の先端から基端側に向けて延びる一の主溝を研削加工することによって、前記一の主溝のドリル回転方向前方側を向く壁面と前記先端逃げ面との交差稜線に、前記ドリル本体の外周端まで延びる第１の切刃を形成する第３の工程と、前記刃部の外周面に前記刃部の先端から前記中心軸線方向基端側へ延びていてその溝長が前記一の主溝の溝長より短い他の主溝を研削加工することによって、前記他の主溝のドリル回転方向前方側を向く壁面と前記先端逃げ面との交差稜線の少なくとも内周側領域に第２の切刃を形成する第４の工程と、前記交差稜線の少なくとも内周側領域を除く外周部および前記外周部に連結する前記他の主溝のドリル回転方向前方側を向く壁面の外周部をドリル回転方向後方側に切り欠く副溝を研削加工することによって、前記第２の切刃よりも外周側領域に非切削部を形成する第５の工程と、を含んでなるドリルの研削加工方法である。
【００１４】
請求項６に係る発明によれば、第１の工程では、加工穴の内周壁面に摺接可能なランドを形成することによって、前記ランドのガイド作用により加工穴精度に優れたドリルを提供することができる。
第２の工程では、刃部の先端面に逃げ角を有する先端逃げ面を形成することで、前記先端逃げ面と被削材の接触を抑制した、切削抵抗の低いドリルを提供できる。
前記第３の工程では、前記一の主溝のドリル回転方向前方側を向く壁面と前記先端逃げ面との交差稜線に、ドリル本体の外周端まで延びる第１の切刃を形成することで、被削材への穴明け加工が可能なドリルを提供できる。
前記第４の工程では、他の主溝のドリル回転方向前方側を向く壁面と先端逃げ面との交差稜線に形成された第２の切刃は、第５の工程で前記交差稜線の外周部および前記外周部に連結する前記壁面の外周部に形成された非切削部で切り欠かれることによって、前記交差稜線の内周側領域にのみ形成される。これにより、切削抵抗を低減するとともに、被削材に食い付くときに第１の切刃と第２の切刃とが被削材に同時に接触して切削バランスの悪化を防止したドリルを提供することができる。
さらに、他の主溝および副溝の溝長が一の主溝の溝長よりも短いことからドリル本体の剛性を高める。しかも、第２の切刃から生成する切屑の容積が小さくなることから切屑排出性の悪化を防止したドリルを提供できる。
【００１５】
請求項７に係る発明は、前記一の主溝のリーディングエッジに連結する刃部の外周面、ならびに、前記副溝および他の主溝の少なくとも一方のリーディングエッジに連結する刃部の外周面のうち少なくともいずれか一方に形成された加工穴の内周壁面に摺接可能なランドの外周面の円周方向中間部に、前記外周面に対して内側に没入し、かつ該ランドの先端から前記中心軸線方向基端側へ延びる凹溝を研削加工する第６の工程を含む請求項６に記載のドリルの研削加工方法である。
【００１６】
請求項８に係る発明は、前記第３および第４の工程の研削加工に使用する各研削砥石が同一である請求項６に記載のドリルの研削加工方法である。
【００１７】
請求項９に係る発明は、前記第４および第５の工程の研削加工に使用する研削砥石が同一である請求項６に記載のドリルの研削加工方法である。
【００１８】
請求項１０に係る発明は、前記第４、第５および第６の工程の研削加工に使用されるすべての研削砥石が同一である請求項７に記載のドリルの研削加工方法である。
【発明の効果】
【００１９】
本発明に係るドリルおよび該ドリルの研削加工方法によれば、被削材へ食い付くときの切削バランスに優れるとともに、切削抵抗の増大およびドリル本体の剛性低下を防止して、高精度の穴明け加工を可能にするドリルを提供することができる。
【図面の簡単な説明】
【００２０】
【図１】本発明の実施形態に係るドリルの先端視正面図である。
【図２】図１に示すドリルの要部の側面図である。
【図３】図１に示すドリルの先端から中心軸線方向に切刃外径の１００％だけ基端側に移動した位置での軸直角断面図である。
【図４】図１に示すドリルの変形例の先端視正面図である。
【図５】一の主溝のリーディングエッジに連結するランドの態様に関する変形例の先端視正面図である。
【発明を実施するための形態】
【００２１】
以下に、本発明の実施形態に係るドリルについて、図を参照して説明する。
このドリルは、図２に図示するように中心軸線ＣＬまわりに回転されるドリル本体１０の先端側に設けた刃部１１Ａと、基端側に設けたシャンク部１１Ｂ（一部を図示する。）と、刃部１１Ａとシャンク部１１Ｂとの間に設けたテーパ状段部１１Ｃとを備えてなる。テーパ状段部１１Ｃを省略して、刃部１１Ａとシャンク部１１Ｂとが直接的に連結されてもよい。少なくとも刃部１１Ａは、超硬合金、硬質膜を被覆した超硬合金、サーメット、ダイヤモンド焼結体、工具鋼、高速度鋼等の公知材料から構成されている。
【００２２】
刃部の外周面１３には、該刃部１１Ａの先端から基端側に向けて螺旋状に延びる二条の主溝２０、３０が形成される。夫々の主溝２０、３０の軸直角断面形状は特に限定されず、ねじれの有無、ねじれの向き又はねじれ角の限定もない。望ましくは各主溝２０、３０は、ドリル中心に関してほぼ対称的な関係にあり、刃部１１Ａの先端から基端側にいくにつれドリル回転方向Ｋ後方側にねじれる、いわゆる右ねじれ溝で形成され、そのねじれ角θが３３°〜５６°の範囲となるように形成される。
【００２３】
刃部の先端面１２には、ドリル中心に関してほぼ対称的な一対の先端逃げ面１２ａ、１２ｂが形成される。これら先端逃げ面１２ａ、１２ｂは、ドリル回転方向Ｋ後方側へいくにしたがい基端側へ漸次後退する円錐面で形成されていて、被削材に対してクリアランスが確保されている。
【００２４】
一の主溝のドリル回転方向Ｋ前方側を向く壁面２２と前記先端面１２ａとの交差稜線には、ドリル本体１０の外周端まで延びる第１の切刃２１が形成される。この第１の切刃２１に連結する前記壁面２２はすくい面とされる。
【００２５】
他の主溝のドリル回転方向Ｋ前方側を向く壁面３２と前記先端逃げ面１２ｂとの交差稜線の外周部（図１において破線で示した稜線。）および前記外周部に連結する前記壁面３２の外周部は、副溝４０によってドリル回転方向Ｋ後方側へ切り欠かれる。前記副溝４０と前記先端逃げ面４０との交差稜線は、中心軸線ＣＬまわりの回転軌跡でみたとき前記第１の切刃２１よりも基端側に後退する非切削部４１となる。
【００２６】
他の主溝のドリル回転方向Ｋ前方側を向く壁面３２と前記先端逃げ面１２ｂとの交差稜線のうち前記非切削部４１を除く内周側領域には、第２の切刃３１が形成される。この第２の切刃３１に連結する前記壁面３２はすくい面とされる。第２の切刃３１の中心軸線ＣＬまわりの回転軌跡は、第１の切刃２１の中心軸線ＣＬまわりの回転軌跡のうち、前記第２の切刃３１に対応する内周側領域と重複する。これにより第２の切刃３１は、第１の切刃２１とともに切削に作用する切刃となる。第２の切刃３１と、該第２の切刃３１に対応する第１の切刃２１の内周側領域とは、ドリル本体の中心軸線ＣＬに関して対称、非対称のどちらでも構わないが、望ましくは点対称な関係となるように形成される。前記第２の切刃３１に沿う方向の長さ、すなわち第１の切刃の刃長Ｗ２は、前記第１の切刃２１の刃長Ｗ１の５０％以下、好ましくは４０％以下、特に好ましくは３０％以下である。
【００２７】
前記他の主溝の溝長Ｌ２は、前記一の主溝の溝長Ｌ１よりも短くなっている。前記一の主溝の溝長Ｌ１に対する前記他の主溝の溝長Ｌ２の比率は、前記第１の切刃２１の該切刃稜線に沿う刃長Ｗ１に対する前記第２の切刃の該切刃稜線に沿う刃長Ｗ２の比率Ｗ２／Ｗ１とほぼ同じかやや大きめとされるのが望ましい。前記他の主溝３０に設けられる副溝の溝長Ｌ３は、前記他の主溝の溝長Ｌ２と等しいもしくはやや小さくなっている。前記他の主溝の溝長Ｌ２および前記副溝の溝長Ｌ３は、前記第１の切刃２１の外径より大きいのが好ましいが、該ドリルで加工される穴の深さより小さくてなっても構わない。
【００２８】
先端逃げ面１２ａ、１２ｂは、少なくとも１つの円錐面又は少なくとも１つの平坦面で構成され、所定の逃げ角を有している。先端逃げ面１２ａ、１２ｂが互いに交差する稜線は、実質的にドリル本体の中心軸線ＣＬ上を通り、夫々の主溝２０、３０の壁面に達するチゼルエッジ２４、３４となる。一の主溝２０側に形成されたチゼルエッジ２４は、外周端が第１の切刃２１に連結することによって、ドリル中心から外周端にわたって切削作用を有する切刃を構成している。他の主溝３０側に形成されたチゼルエッジ３４は、外周端が第２の切刃３１に連結し、ドリル中心から第２の切刃３１の外周端にわたって切削作用を有する切刃を構成している。なお、各チゼルエッジ２４、３４の一部又は全部を削除するようにシンニングが設けられてもよい。
【００２９】
二条の主溝２０、３０の間に延びる刃部の外周面１３は、その直径が前記切刃２１の外径と略等しくなっており、加工穴の内周壁面に摺接可能なランド２３、３３とされている。図１において、副溝４０のリーディングエッジに連結するランド３３のランド幅ｔ２は、前記一の主溝２０のリーディングエッジに連結するランド２３のランド幅ｔ１より小さくなっている。
【００３０】
図４は、一の主溝２０のリーディングエッジに連結するランド２３の態様が異なる変形例を示す。該ドリルの先端視において、一の主溝２０のリーディングエッジに連結するランド２３の外周面の円周方向中間部には、前記外周面に対して内側に没入しかつ該ランド２３の先端から前記中心軸線ＣＬ方向基端側へ延びる凹溝５０が形成される。この凹溝５０は、前記一の主溝２０と略等しいねじれ角をもつ右ねじれ溝で形成される。このような凹溝５０を設けたことにより、前記ランド２３は、前記一の主溝のリーディングエッジに連結する第１のランド２３ａと、他の主溝３０のヒールに連結する第２のランド２３ｂとに分断される。
【００３１】
第１のランド２３ａ又は第２のランド２３ｂは、これらに対して円周方向反対側に位置していて他の主溝のリーディングエッジに連結するランド３３に対してランド幅が夫々小さくなるように形成されるのが好ましい。また、ドリル先端視において、前記第１および第２のランド２３ａ、２３ｂと他の主溝２０のリーディングエッジに連結するランド３３とは、以下に述べる関係にあることが好ましい。すなわち、一の主溝２０のリーディングエッジに連結する第１のランド２３ａの外周円弧の二等分点とドリル中心とを結ぶ仮想直線Ｄ１、および他の主溝３０のヒール側に位置する第２のランド２３ｂの外周円弧の二等分点とドリル中心とを結ぶ仮想直線Ｄ２を引き、前記仮想直線Ｄ１とＤ２とドリル外周円弧で構成される仮想の扇形を作る。このとき、副溝４０のリーディングエッジに連結するランド３３の少なくとも一部が前記仮想の扇形とドリル中心に関して点対称な関係にある扇形の領域内に含まれることが好ましい。つまり、前記第１および第２のランド２３ａ、２３ｂと、他の主溝３０のリーディングエッジに連結するランド３３とは、ドリル本体１０の円周方向に対向する関係にあるのが好ましい。一の主溝３０のリーディングエッジに連結するランド２３が円周方向に３以上に分断された場合も同様である。また、以上に説明した凹溝５０は、前記副溝４０又は前記他の主溝のリーディングエッジに連結するランド３３内に形成され、前記ランド３３を２以上のランドに分断するように形成されてもよい。
【００３２】
一の主溝のリーディングエッジに連結するランド２３の外周面に形成された凹溝５０の切れ上がりは、中心軸線ＣＬ方向で前記一の主溝２０の切れ上がりとほぼ等位もしくは先端側に位置する。凹溝５０は、前記ランド２３の外周面の円周方向中間部に限らず、前記ランド２３のドリル回転方向Ｋ後方側縁部に連結するように形成してもよい。
【００３３】
図５は、一の主溝のリーディングエッジに連結するランド２３の態様に関する変形例である。すなわち、一の主溝のリーディングエッジに連結するランド２３の少なくとも一部が、ドリル中心を通りかつ第１の切刃２１に沿う方向に略直角な方向に延びる仮想直線Ａに対する角度（ドリル回転方向Ｋ前方側を正とする。）が−３０°（α）〜＋３０°（β）の範囲、より好ましくは−１０°（α）〜＋１０°（β）の範囲、特に好ましくは−１０°（α）〜０°（β）の範囲に存在する。
【００３４】
次に、本ドリルの研削方法について説明する。まず、略丸棒状をなすドリル素材が用意される。このドリル素材において、刃部１１Ａとなる先端側部分およびシャンク部１１Ｂとなる基端側部分の外周面は夫々、あらかじめ所定の外径となるように研削加工されている。ここまでの工程は従来ドリルと同様である。
【００３５】
次に、本ドリルの研削加工方法について工程ごとに説明する。まず第１の工程では、刃部の外周面１３が該ドリルの切刃２１外径と略等しい外径となるように研削加工される。
第２の工程では、刃部の先端面１２に逃げ角および先端角を付与された先端逃げ面１２ａ、１２ｂが研削加工される。本ドリルでは、先端逃げ面１２ａ、１２ｂは少なくとも１つの円錐逃げ面で形成されている。この円錐逃げ面に代えて少なくとも１つの平坦な逃げ面が研削加工されてもよい。
【００３６】
次の第３の工程では、前記刃部の外周面１３に該刃部１１Ａの先端から基端側へ延びる一の主溝２０が研削加工される。これにより、前記一の主溝のドリル回転方向Ｋ前方側を向く壁面２２と前記先端逃げ面１２ａとの交差稜線に、ドリル本体１０の外周端まで延びる第１の切刃２１が形成される。前記一の主溝２０は、基端側にいくにつれドリル回転方向Ｋ後方側にねじれる、いわゆる右ねじれ溝で形成され、そのねじれ角が好ましくは３３°〜５６°の範囲となるように形成される。
【００３７】
次に第４の工程では、軸直角断面視でドリル中心に関して前記一の主溝２０に対してほぼ対称的な他の主溝３０が研削加工される。これにより、前記他の主溝のドリル回転方向Ｋ前方側を向く壁面３２と先端逃げ面１２ｂとの交差稜線に、前記第１の切刃２１と対称形状を呈していて、後述する第２の切刃３１の基礎となる切刃が形成される。前記他の主溝３０は、前記一の主溝２０と同様に右ねじれ溝で形成され、そのねじれ角が３３°〜５６°の範囲となるように形成されている。さらに、前記他の主溝の溝長Ｌ２が前記一の主溝の溝長Ｌ１よりも短くなるように形成されている。前記他の主溝の溝長Ｌ２の好ましい範囲については後述する。
【００３８】
次に第５の工程では、前記第４の工程で前記他の主溝３０の先端側稜線に形成した切刃に隣接する副溝４０が研削加工される。すなわち、前記他の主溝のドリル回転方向Ｋ前方側を向く壁面３２と先端逃げ面１２ｂとの交差稜線（前記第４の工程で形成した切刃）の外周部および前記外周部に連結する前記他の主溝の壁面３２の外周部をドリル回転方向Ｋ後方側へ切り欠く副溝４０が研削加工される。これにより、前記副溝４０の先端側稜線には、この先端側稜線に対応する前記第１の切刃２１の外周端側稜線よりも基端側に後退する非切削部４１が形成される。そして、非切削部４１に隣接する内周側領域には、第２の切刃３１が形成される。第２の切刃３１は、前記第１の切刃２１の前記第２の切刃３１に対応する内周側領域に対して回転軌跡を重複するように形成され、前記第１の切刃２１とともに切削に作用する切刃となる。
【００３９】
前記第１の切刃２１の該切刃に沿う刃長Ｗ１に対する第２の切刃３１の該切刃に沿う刃長Ｗ２の比率Ｗ２／Ｗ１は、０＜Ｗ２／Ｗ１＜１の関係を満たせば適宜変更することができる。ここで、前記比率Ｗ２／Ｗ１は、前記一の主溝の溝長Ｌ１に対する前記他の主溝の溝長Ｌ２の比率Ｌ２／Ｌ１に対してほぼ等しいか、もしくはやや小さいことが望ましい。言い換えれば、前記溝長Ｌ１に対する前記溝長Ｌ２の比率Ｌ２／Ｌ１は、前記刃長Ｗ１に対する前記刃長Ｗ２の比率Ｗ２／Ｗ１に対して略等しいか、もしくはやや大きくするのが望ましい。
【００４０】
以上に説明した該ドリルの研削加工方法において、第５の工程の副溝４０を研削加工する工程は、第４の工程の他の主溝３０を研削加工する工程より後に行なわれることが望ましい。その他の工程については順番が入れ替わっても特に支障はない。
【００４１】
一の主溝３０のリーディングエッジに連結するランド２３の外周面の円周方向中間部に、該ランド２３の外周面に対して内側に没入し、かつ該ランド２３の先端から中心軸線ＣＬ方向基端側へ延びる凹溝５０を研削加工する第５の工程が追加されてもよい。この凹溝５０は、前記一の主溝３０と略等しいねじれ角をもつ右ねじれ溝として研削加工される。これにより、前記ランド２３には、前記凹溝５０を挟んで一の主溝２０のリーディングエッジ側に第１のランド２３ａおよび他の溝３０のヒール側に第２のランド２３ｂが互いに円周方向で離間して形成される。なお、前記凹溝５０は、一の主溝に連結するランド２２および副溝に連結するランド３２の少なくともいずれか一方に研削加工される。
また、上述した研削加工に使用される研削砥石は、各工程で特に限定されるものではないが、一の主溝２０を研削加工する第３の工程に使用される研削砥石と、他の主溝３０を研削加工する第４の工程に使用される研削砥石とを共通とすることが好ましい。また、前記共通砥石で副溝４０および凹溝５０の少なくともいずれか一方を研削加工することがさらに好ましい。また、各工程の研削加工に使用される研削砥石は、特に限定されるものではないが、一の主溝２０を研削加工する第３の工程に使用される研削砥石と、他の主溝３０を研削加工する第４の工程に使用される研削砥石とを共通とすることが望ましい。さらに、第３および第４工程に使用される研削砥石と、副溝を研削加工する第５の工程に使用される研削砥石とを共通とすることが望ましい。特に、第３、第４、第５および第６の工程に使用される研削砥石を共通とすることが望ましい。
【００４２】
これまで説明したドリルの各構成の作用および機能について、以下に説明する。
本ドリルにおいて、第１の切刃２１は、ドリル本体１０の外周端まで延びる切刃となっているので、下穴の無い被削材への穴明け加工を可能とする。この第１の切刃２１に連結する一の主溝の溝長Ｌ１は、該ドリルで加工される穴の深さより大きくなっているので、第１の切刃２１から生成する切屑を加工穴の外へ円滑に排出することができる。
【００４３】
第２の切刃３１は、該切刃の回転軌跡が第１の切刃２１の回転軌跡の内周端側部分に重複するように形成されているため、該ドリルが被削材へ食い付く際、前記第１の切刃２１と同時に被削材に接触する。これにより、該ドリルでは、穴明け加工開始時の切削バランスが従来の一枚刃ドリルにくらべ大幅に向上する。第２の切刃の刃長Ｗ２は、大きいほど前述の切削バランスを向上させる効果が著しくなるが、切削バランスの保持に加え切削抵抗の低減にも配慮して、第１の切刃の刃長Ｗ１の１０％以上かつ５０％以下、好ましくは４０％以下、特に好ましくは３０％以下とされる。
前記第２の切刃３１に連結する他の主溝の溝長Ｌ２および該他の主溝３０のリーディングエッジに設けた副溝の溝長Ｌ３は、一の主溝の溝長Ｌ１より短くなっているため、従来の二枚刃ドリルにくらべドリル本体１０の剛性が高められ、切削抵抗等の負荷によるドリル本体の撓みが抑制される。以上のように切削バランスが改善されること、およびドリル本体１０の剛性が高められることにより、加工穴精度が向上する。
【００４４】
該ドリルは、他の主溝の溝長Ｌ２および副溝の溝長Ｌ３が一の主溝の溝長Ｌ１より短くなっているため、穴明け加工が進むと前記他の主溝３０および副溝４０が加工穴の内周壁面で閉ざされてしまうことになる。このような状況において、第２の切刃３１から生成する切屑を加工穴の外に排出することができなくなる。しかし、第１の切刃２１より刃長の短い第２の切刃３１から生成する切屑は、その容積が前記他の主溝３０および副溝４０の容積よりも小さいため、加工穴の外へ排出されなくても、前記他の主溝３０および副溝４０の中に滞留可能である。よって、前記第２の切刃３１から生成する切屑の排出性が損なわれることはない。なお、他の主溝３０および副溝４０が切屑を収容するのに十分な容積を確保するためには、他の主溝の溝長Ｌ２および副溝の溝長Ｌ２は、少なくとも切刃２１の外径以上であることが好ましい。
【００４５】
さらに、このドリルでは、第２の切刃３１と、該第２の切刃３１に対応する第１の切刃２１の内周端領域とがドリル中心に関して点対称の関係にあることから、本ドリルが被削材に食い付く際の切削バランスがいっそう改善される。
【００４６】
図１において、一の主溝２０のリーディングエッジに連結するランド２３と、副溝４０のリーディングエッジに連結するランド３３とは、ドリル中心を挟んでほぼ対向するように形成されているため、これらランド２３、３３が加工穴の内周壁面に摺接してドリル本体１０をガイドする作用が、円周方向に均衡して得られるため、ドリルの撓みを効果的に抑制することができる。さらに、副溝４０のリーディングエッジに連結するランド３３のランド幅ｔ２が一の主溝２０のリーディングエッジに連結するランド２３のランド幅ｔ１より小さい場合、ランド３３と加工穴の内周壁面との摺接による摩擦抵抗が減少することで、ドリル本体１０への負荷が軽減する。さらに、ランド幅が広いランド２３は、刃長の長い第１の切刃２１のドリル回転方向Ｋ後方側に配置され、前記第１の切刃２１に作用する比較的大きな切削抵抗に対してドリル本体１０を安定的に支持することができる。
【００４７】
変形例として図４に例示したドリルのように、一の主溝のリーディングエッジに連結するランド２３の外周面の円周方向中間部に、該ランド２３を第１および第２のランド２３ａ、２３ｂに分断する凹溝５０を設けた場合、これら第１および第２のランド２３ａ、２３ｂが加工穴の内周壁面と摺接する面積が減少するため、該ドリルへかかる負荷を低めることができる。
【００４８】
ドリル先端視において、前記第１のランド２３ａの外周円弧の二等分点とドリル中心とを結ぶ仮想直線Ｄ１と、前記第２のランド２３ｂの外周円弧の二等分点とドリル中心とを結ぶ仮想直線Ｄ２と、ドリル外周円弧で構成される仮想の扇形を作ったとき、他の主溝３０のリーディングエッジに連結するランド３３の少なくとも一部が前記仮想の扇形とドリル中心に関して点対称な関係にある扇形の領域内に含まれる構成とした場合には、第１および第２のランド２３ａ、２３ｂと、これらに対向するランド３３とは、加工穴内周壁面との摺接によって受ける負荷が均衡するようになるので、穴明け加工時の切削バランスがさらに向上する。さらに、第１および第２のランド２３ａ、２３ｂ、ならびに他の主溝３０のリーディングエッジに連結するランド３３は、円周方向で互いに離間して３箇所に配置され、該ドリルを３点支持することで、バランスに優れたガイド作用を発揮する。このため、ドリル本体１０の撓みを抑制する効果がきわめて高くなる。
【００４９】
前記凹溝５０を設けたことによる前述の効果を高める点で、前記凹溝５０の切れ上がりが中心軸線ＣＬ方向で前記一の主溝２０の切れ上がりとほぼ等位にあることが好ましい。しかし、前記凹溝５０を設けることによってドリル本体１０の剛性低下が著しい場合は、前記凹溝５０の切れ上がりが前記一の主溝２０の切れ上がりよりも先端側に位置することが好ましい。また、凹溝５０は、前記ランド２３の外周面の円周方向中間部に限らず、ドリル回転方向Ｋ後方側縁部に連結するように形成してもかまわない。また、他の主溝３０のリーディングエッジに連結するランド３３に凹溝５０を形成することとしてもよい。
【００５０】
図５に例示したように、ランド２３の少なくとも一部が、ドリル中心を通りかつ切刃２１に沿う方向に略直角な方向に延びる仮想直線Ａに対する角度（ドリル回転方向Ｋ前方側を正とする。）が−３０°〜＋３０°の範囲に存在する構成を採用したときの効果は、以下のとおりである。前記ランド２３は、ドリル本体１０を切刃２１に沿う方向に略直角な方向に支持することで、該方向に作用する切削抵抗により前記ドリル本体１０が撓むことを効果的に抑制する。ランド２３によるドリル本体１０の撓み抑制効果を高める点では、前記ランド２３の少なくとも一部が前記仮想直線Ａに対する角度（ドリル回転方向Ｋ前方側を正とする。）が−１０°〜＋１０°の範囲にある場合が好ましく、−１０°〜０°の範囲にある場合が最も好ましい。このような態様のランドは、第２の切刃３１に対して適用してもよいが、切刃に沿う方向の長さが比較的長い第１の切刃２１には第２の切刃３１よりも大きな切削抵抗が作用することから、第１の切刃２１にのみ適用しても充分に高い効果が得られる。
【００５１】
本ドリルの研削加工方法によって得られる作用効果について以下に説明する。
本ドリルの研削加工方法の第１の工程では、前記刃部の先端面１２を研削加工することによって前記先端面１２に先端逃げ面１２ａが形成されるため、該先端逃げ面１２ａが被削材に接触することが防止される。該先端逃げ面１２ａが穴明け加工の進行に伴い摩耗しても、摩耗幅の急激な増加が抑制される。
【００５２】
第２の工程では、刃部の外周面１３に該刃部１１の先端から基端側に向けて延びる一の主溝２０が研削加工されことによって、一の主溝のドリル回転方向Ｋ前方側を向く壁面２２と前記先端逃げ面１２ａとの交差稜線に、ドリル本体１０の外周端まで延びる第１の切刃２１が形成される。このように、ドリル本体１０の外周端まで延びる第１の切刃２１が形成されることで、下穴の無い被削材への穴明け加工が可能となる。この第１の切刃２１に連結する一の主溝の溝長Ｌ１が該ドリルで加工される穴の深さより大きくなっているので、第１の切刃２１から生成する切屑が加工穴の外へ円滑に排出される。
【００５３】
第３の工程では、中心軸線ＣＬを挟んで前記一の主溝２０の反対側に、刃部の外周面１３に該刃部１１の先端から基端側へ延びる他の主溝３０がその溝長Ｌ２を前記一の主溝の溝長Ｌ１より短くなるように形成される。これにより、他の主溝のドリル回転方向Ｋ前方側を向く壁面３２と前記先端逃げ面１２ｂとの交差稜線に第２の切刃３１の基礎となる切刃が形成される。前記他の主溝の溝長Ｌ２は、前記一の主溝の溝長Ｌ１より短くなっているため、従来の二枚刃ドリルにくらべドリル本体１０の剛性が高められる。
【００５４】
第４の工程では、前記基礎となる切刃の外周部およびこの外周部に連結する他の主溝の壁面３２をドリル回転方向Ｋ後方側へ切り欠く副溝４０が形成される。この副溝４０によって切り欠かれた前記外周部を除く内周側領域部分に第２の切刃３１が形成されることで、該ドリルが被削材へ食い付く際、すなわち、前記内周側領域において第１の切刃２１と第２の切刃３１とが同時に被削材に接触する。これにより、穴明け加工開始時の切削バランスが従来の一枚刃ドリルにくらべ大幅に向上する。
このように、ドリル本体１０の剛性向上および切削バランスの向上により加工穴精度が向上したドリルを提供することができる。
この第２の切刃３１は、該切刃の回転軌跡が第１の切刃２１の回転軌跡の内周側領域に重複するように形成されているため、該ドリルが被削材へ食い付く際、前記第１の切刃２１と同時に被削材に接触する。これにより、該ドリルでは、穴明け加工開始時の切削バランスが従来の一枚刃ドリルにくらべ大幅に向上する。
【００５５】
他の主溝の溝長Ｌ２が一の主溝の溝長Ｌ１より短くなっているため、従来の二枚刃ドリルにくらべドリル本体１０の剛性が高められたドリルを提供することができる。
他の主溝の溝長Ｌ２が一の主溝の溝長Ｌ１よりも短くなっているため、加工する穴の深さがある程度大きくなると、他の主溝３０は、加工穴の内周壁面に閉ざされてしまう。しかしながら、他の主溝３０を通る切屑は、第１の切刃よりも刃長の短い第２の切刃から生成する容積の小さい切屑である。このため、他の主溝３０の溝長Ｌ２が切刃２１の外径より大きければ、他の主溝３０は、第２の切刃３１から生成する切屑を収容できる程度の容積を確保し、切屑排出性を損なわない。
【００５６】
本ドリルの研削加工方法において、第２の工程に使用される研削砥石と、第３の工程に使用される研削砥石とを共通とすれば、研削砥石の集約がはかられる。さらに、第４の工程に使用される研削砥石も共通化する、研削砥石の集約効果はいっそう大きくなる。
【符号の説明】
【００５７】
１０  ドリル本体
１１Ａ  刃部
１１Ｂ  シャンク部
１１Ｃ  テーパ状段部
１２  刃部の先端面
１２ａ、１２ｂ  先端逃げ面
１３  刃部の外周面
２０  一の主溝
２１  第１の切刃
２２  一の主溝のドリル回転方向前方側を向く壁面
２３  一の主溝のリーディングエッジに連結するランド
２３ａ  第１のランド
２３ｂ  第２のランド
２４  チゼルエッジ
３０  他の主溝
３１  第２の切刃
３２  他の主溝のドリル回転方向前方側を向く壁面
３３  他の主溝のリーディングエッジに連結するランド
３４  チゼルエッジ
４０  副溝
４１  非切削部
５０  凹溝
ＣＬ  中心軸線
Ｋ  ドリル回転方向
Ｌ１  一の主溝の溝長
Ｌ２  他の主溝の溝長
Ｌ３  副溝の溝長
Ｗ１  第１の切刃の刃長
Ｗ２  第２の切刃の刃長
ｔ１  一の主溝のリーディングエッジに連結するランドのランド幅
ｔ２  他の主溝のリーディングエッジに連結するランドのランド幅
θ  ねじれ角
【図１】
2010162644.tif 000003
【図２】
2010162644.tif 000004
【図３】
2010162644.tif 000005
【図４】
2010162644.tif 000006
【図５】
2010162644.tif 000007